(57)【特許請求の範囲】
【請求項１】
内蔵メモリに保存されたデータを外部メモリにバックアップ可能な通信端末装置であって、
外部とデータを送受信するための通信部と、
外部へ送信したデータの送信履歴を前記内蔵メモリに記録しておき、前記外部メモリへバックアップするデータが選択されると、前記送信履歴に基づいてバックアップ対象のデータが外部へ送信されたことがあるか否かを判定し、バックアップ対象のデータが外部に送信されたことがある場合、該データを暗号化して前記外部メモリへ保存し、バックアップ対象のデータが外部に送信されたことがない場合は、該データをそのまま前記外部メモリへ保存する中央制御部と、
を有する通信端末装置。
【請求項２】
前記中央制御部は、
外部から受信したデータの受信履歴及び前記外部メモリを用いて外部から取得したデータの取得履歴を記録しておき、前記外部メモリへバックアップするデータが選択されると、前記受信履歴及び前記取得履歴に基づいて前記内蔵メモリにバックアップ対象のデータの編集前の元データがあるか否かを判定し、前記元データがあり、バックアップ対象のデータが外部に送信されたことがある場合、該データを暗号化して前記外部メモリへ保存し、前記元データがない場合またはバックアップ対象のデータが外部に送信されたことがない場合は、該データをそのまま前記外部メモリへ保存する請求項１記載の通信端末装置。
【請求項３】
内蔵メモリに保存されたデータを外部メモリにバックアップするための通信端末装置によるデータバックアップ方法であって、
外部へ送信したデータの送信履歴を前記内蔵メモリに記録しておき、
前記外部メモリへバックアップするデータが選択されると、前記送信履歴に基づいてバックアップ対象のデータが外部へ送信されたことがあるか否かを判定し、
バックアップ対象のデータが外部に送信されたことがある場合、該データを暗号化して前記外部メモリへ保存し、バックアップ対象のデータが外部に送信されたことがない場合は、該データをそのまま前記外部メモリへ保存するデータバックアップ方法。
【請求項４】
外部から受信したデータの受信履歴及び前記外部メモリを用いて外部から取得したデータの取得履歴を記録しておき、
前記外部メモリへバックアップするデータが選択されると、前記受信履歴及び前記取得履歴に基づいて前記内蔵メモリにバックアップ対象のデータの編集前の元データがあるか否かを判定し、
前記元データがあり、バックアップ対象のデータが外部に送信されたことがある場合、該データを暗号化して前記外部メモリへ保存し、
前記元データがない場合またはバックアップ対象のデータが外部に送信されたことがない場合は、該データをそのまま前記外部メモリへ保存する請求項３記載のデータバックアップ方法。
【発明の詳細な説明】
【技術分野】
【０００１】
本発明は、外部とデータの送受信が可能な通信端末装置及び該通信端末装置によるデータバックアップ方法に関する。
【背景技術】
【０００２】
一般に、携帯電話機は、保存しているデータが暗号化されない構成、または内蔵メモリの内容を外部メモリにバックアップする際に全てのデータが一括して暗号化される構成である。そのため、暗号化が必要なデータを暗号化できない場合や暗号化が不要なデータも暗号化されてしまう場合がある。
【０００３】
また、パーソナルコンピュータやＰＤＡ（Personal Digital Assistant）等の情報処理装置では、暗号化するデータをユーザが個別に指定して暗号化する方法、あるいは暗号化するデータを含む、メモリに格納する全てのデータを暗号化する方法がある。
【０００４】
しかしながら、暗号化するデータをユーザが個別に指定する方法は、ユーザの作業負担が大きいという問題がある。また、メモリに格納する全てのデータを暗号化する方法は、暗号化が不要なデータも暗号化されることがあり、次に該データを閲覧するときに暗号化された全てのデータを復号しなければならないため、ユーザの作業負担が大きく、また情報処理装置の処理負荷も増大する問題がある。
【０００５】
なお、携帯電話機によるデータの暗号化及び復号化方式については、例えば特許文献１で提案されている。特許文献１では送信側の電話番号と受信側の電話番号とを用いて、電子メール本文の暗号化及び復号化を行うことが記載されている。
【先行技術文献】
【特許文献】
【０００６】
【特許文献１】特開２００６−１９１３８５号公報
【発明の概要】
【発明が解決しようとする課題】
【０００７】
上述したように携帯電話機や情報処理装置等の通信端末装置では、暗号化が必要なデータを暗号化できない場合や暗号化が不要なデータも暗号化されてしまう場合がある。また、データを暗号化する場合でも、ユーザによる作業負担が大きくなったり、通信端末装置の処理負荷が増大したりする問題がある。
【０００８】
本発明は上述したような背景技術が有する問題点を解決するためになされたものであり、ユーザによる暗号化の作業負担を軽減しつつ所要のデータを安全に保存できる通信端末装置及びそのデータバックアップ方法を提供することを目的とする。
【課題を解決するための手段】
【０００９】
上記目的を達成するため本発明の通信端末装置は、内蔵メモリに保存されたデータを外部メモリにバックアップ可能な通信端末装置であって、
外部とデータを送受信するための通信部と、
外部へ送信したデータの送信履歴を前記内蔵メモリに記録しておき、前記外部メモリへバックアップするデータが選択されると、前記送信履歴に基づいてバックアップ対象のデータが外部へ送信されたことがあるか否かを判定し、バックアップ対象のデータが外部に送信されたことがある場合、該データを暗号化して前記外部メモリへ保存し、バックアップ対象のデータが外部に送信されたことがない場合は、該データをそのまま前記外部メモリへ保存する中央制御部と、
を有する。
【００１０】
一方、本発明のデータバックアップ方法は、内蔵メモリに保存されたデータを外部メモリにバックアップするための通信端末装置によるデータバックアップ方法であって、
外部へ送信したデータの送信履歴を前記内蔵メモリに記録しておき、
前記外部メモリへバックアップするデータが選択されると、前記送信履歴に基づいてバックアップ対象のデータが外部へ送信されたことがあるか否かを判定し、
バックアップ対象のデータが外部に送信されたことがある場合、該データを暗号化して前記外部メモリへ保存し、バックアップ対象のデータが外部に送信されたことがない場合は、該データをそのまま前記外部メモリへ保存する方法である。
【発明の効果】
【００１１】
本発明によれば、ユーザによる暗号化の作業負担を軽減しつつ所要のデータを安全に保存できる。
【図面の簡単な説明】
【００１２】
【図１】本発明の通信端末装置の一構成例を示すブロック図である。
【図２】本発明の通信端末装置の処理手順の一例を示すフローチャートである。
【図３】本発明の通信端末装置の処理手順の他の例を示すフローチャートである。
【発明を実施するための形態】
【００１３】
次に本発明について図面を用いて説明する。
【００１４】
図１は、本発明の通信端末装置の一構成例を示すブロック図である。図１は、通信端末装置の一例として、携帯電話機の構成例を示している。
【００１５】
図１に示すように、携帯電話機は、中央制御部１１、無線通信部１４、テレビ放送受信部１６、音声信号処理部１５、撮像部１７、視差バリア制御部１９、表示部１８、操作部２０、ＲＴＣ（Real Time Clock）２１、報知部２２、記憶部１３、電池部１２及び外部メモリスロット部３１を有する構成である。
【００１６】
無線通信部１４は、アンテナＡＮ１を介して電波を送受信し、例えば周知の無線基地局やネットワークを介して通信相手の端末装置やサーバ装置と、音声、電子メール及び各種のデータを送受信する。
【００１７】
テレビ放送受信部１６は、アンテナＡＮ２を介してテレビジョン放送を受信するチューナである。
【００１８】
音声信号処理部１５は、マイクＭＣから入力された音声及びスピーカＳＰから出力する音声に対する各種の信号処理（Ａ／Ｄ変換、Ｄ／Ａ変換、信号増幅、エコーキャンセル等）を実行する。
【００１９】
撮像部１７は、画像を撮影して画像データに変換する周知のカメラである。
【００２０】
表示部１８は、携帯電話機のユーザの指示にしたがって画像や文字等を表示するためのディスプレイである。
【００２１】
視差バリア制御部１９は、表示部１８上に貼付された視差バリア（フィルター）による光の遮断・透過を制御する。視差バリア制御部１９は、例えば３Ｄ画像を表示する場合に用いられる。
【００２２】
操作部２０は、携帯電話機のユーザによる各種の指示や文字を入力するための入力装置である。
【００２３】
ＲＴＣ２１は、例えば電源が切られている間も内蔵電池から電源供給を受けて動作する、時刻を計測する部位である。
【００２４】
報知部２２は、サウンドスピーカ２２Ａ、ＬＥＤ２２Ｂ、振動モータ２２Ｃ等を備え、ユーザに着信や電子メールの受信等のイベント発生を通知する。
【００２５】
記憶部１３は、プログラム記憶部Ｍ１、各種情報一時記憶部Ｍ２、画像記憶部Ｍ３、オブジェクト記憶部Ｍ４等を備え、携帯電話機の動作に必要なプログラムやオブジェクト、撮像部１７で撮影された画像データ、無線通信部１４を介して送受信した電子メールや各種のデータが保存される内蔵メモリである。
【００２６】
電池部１２は、例えば携帯電話機に所要の電力を供給する二次電池及び該二次電池による充放電を制御する充放電制御部を含む電源である。
【００２７】
外部メモリスロット部３１は、外部メモリ４１が挿入され、該外部メモリ４１に対する情報の書き込み、及び外部メモリ４１からの情報の読み出しを可能にするインタフェースである。外部メモリとしては、周知のＵＳＢ（Universal Serial Bus）メモリやＳＤ（Secure Digital）カード等の半導体メモリ、あるいは磁気ディスクや光ディスク等の記録メディア等がある。これらの外部メモリ４１には、中央制御部１１の制御により、記憶部１３に保存されているデータをバックアップすることが可能である。例えば、撮像部１７で撮影された画像データ、無線通信部１４を通じて送受信した電子メール、周知のアプリケーションソフトウェアを利用して作成されたテキストや画像データ等、各種情報一時記憶部Ｍ２や画像記憶部Ｍ３に格納されているデータを、外部メモリスロット部３１を介して外部メモリ４１にバックアップできる。
【００２８】
中央制御部１１は、中央演算処理装置やメモリ（不図示）等を備え、記憶部１３に格納された各種のプログラムにしたがって携帯電話機１の全体動作を制御する。
【００２９】
なお、本実施形態の通信端末装置は、図１に示した携帯電話機に限定されるものではなく、例えば図１に示す電池部１２、テレビ放送受信部１６、撮像部１７、視差バリア制御部１９等が無い構成でもよい。また、本実施形態の通信端末装置は、外部とデータの送受信が可能であり、外部メモリにデータを保存することができればどのような構成でもよく、例えばＰＤＡやパーソナルコンピュータ等、電話機としての機能が無い、各種の情報処理装置にも適用できる。
【００３０】
このような構成において、本実施形態の通信端末装置では、電子メールの本文や添付ファイルとして外部へ送信したことがあるデータ、あるいは外部から取得した後に編集したデータを秘密性が高い重要な文書と考え、それらのデータを外部メモリ４１へ保存（バックアップ）する際に、ユーザに特別な操作を要求することなく、中央制御部１１の処理により暗号化する。暗号化方式及び復号化方式は、周知のどのような方式を用いてもよい。
【００３１】
外部へ送信したことがあるデータ、あるいは外部から取得した後に編集したデータは、例えば業務報告書、営業上の見積もり書、提案資料等のように重要な文書であり、守秘すべきデータであることが多い。このようなデータを外部メモリにバックアップする際に中央制御部１１により暗号化することで、ユーザは、秘密性について何ら配慮することなく、そのデータを安全に保存することができる。そのため、ユーザによる暗号化の作業負担を軽減しつつ、所要のデータを安全に保存できる。
【００３２】
次に本発明の通信端末装置の動作について図２及び図３を用いて説明する。
【００３３】
図２は、本発明の通信端末装置の処理手順の一例を示すフローチャートであり、図３は、本発明の通信端末装置の処理手順の他の例を示すフローチャートである。図２は、各種情報一時記憶部Ｍ２内のデータを外部メモリ４１にバックアップする場合の処理手順を示し、図３は外部から取得したデータを編集した後、外部メモリ４１にバックアップする場合の処理手順を示している。
【００３４】
なお、中央制御部１１は、ユーザの指示にしたがって外部へデータ（電子メール本文、添付ファイル）を送信した場合、それらのデータと共にその送信履歴を、例えば各種情報一時記憶部Ｍ２に記録しておくものとする。また、中央制御部１１は、外部からデータを受信した場合、あるいは外部メモリ４１を用いて外部からデータを取得した場合、それらのデータと共にその受信履歴や取得履歴を、例えば各種情報一時記憶部Ｍ２に記録しておくものとする。
【００３５】
図２において、中央制御部１１は、まずユーザが操作部２０を操作することで、各種情報一時記憶部Ｍ２からバックアップするデータが選択されたか否かを判定する（ステップＡ１）。バックアップするデータが選択されていない場合はステップＡ１の処理を繰り返す。バックアップするデータが選択されると、中央制御部１１は、送信履歴に基づいて、該データを電子メールの添付データとして送信したことがあるか否かを判定する（ステップＡ２）。
【００３６】
電子メールで送信したことがある場合、中央制御部１１は、バックアップ対象のデータを暗号化し（ステップＡ３）、暗号化後のデータを外部メモリ４１に保存する（ステップＡ４）。
【００３７】
バックアップ対象のデータが電子メールで外部へ送信されたことが無い場合、中央制御部１１は、該データを暗号化することなく、そのまま外部メモリ４１に保存する（ステップＡ５）。
【００３８】
このように一度送信したデータを外部メモリ４１にバックアップする際に、中央制御部１１により該データを暗号化して外部メモリ４１に保存するため、ユーザに特別な操作を要求することなく、例えば電子メールで送信した、一度完成している文書等を安全に保存できる。
【００３９】
図３において、中央制御部１１は、まずユーザが操作部２０を操作することで、各種情報一時記憶部Ｍ２内のバックアップするデータを選択したか否かを判定する（ステップＢ１）。バックアップするデータが選択されていない場合はステップＢ１の処理を繰り返す。バックアップするデータが選択されると、中央制御部１１は、受信履歴や取得履歴に基づいて、記憶部１３に該データの編集前の元データが各種情報一時記憶部Ｍ２に保存されているか否かを判定する（ステップＢ２）。
【００４０】
編集前の元データがある場合、中央制御部１１は、バックアップ対象のデータを電子メールの添付データとして送信したことがあるか否かを判定する（ステップＢ３）。電子メールで送信したことがある場合、中央制御部１１は、バックアップ対象のデータを暗号化し（ステップＢ４）、暗号化後のデータを外部メモリ４１に保存する（ステップＢ５）。このとき、中央制御部１１は、電子メールや添付データの送信元に応じて暗号化するか否かを判定してもよい。
【００４１】
編集前の元データが無い場合、あるいはバックアップ対象のデータが電子メールで送信されたことが無い場合、中央制御部１１は、該データを暗号化することなく、そのまま外部メモリ４１に保存する（ステップＢ６）。
【００４２】
このように、編集前の元データが外部から入手したものである場合、外部メモリ４１へバックアップする際に、中央制御部１１により編集後のデータを暗号化することで、外部から入手したデータをより安全に保存できる。
【符号の説明】
【００４３】
１１    中央制御部
１２    電池部
１３    記憶部
１４    無線通信部
１５    音声信号処理部
１６    テレビ放送受信部
１７    撮像部
１８    表示部
１９    視差バリア制御部
２０    操作部
２１    ＲＴＣ
２２    報知部
２２Ａ    サウンドスピーカ
２２Ｂ    ＬＥＤ
２２Ｃ    振動モータ
３１    外部メモリスロット部
４１    外部メモリ
ＡＮ１、ＡＮ２    アンテナ
Ｍ１    プログラム記憶部
Ｍ２    各種情報一時記憶部
Ｍ３    画像記憶部
Ｍ４    オブジェクト記憶部
ＭＣ    マイク
ＳＰ    スピーカ
【図１】
0005622273.tif 000002
【図２】
0005622273.tif 000003
【図３】
0005622273.tif 000004